(57)【要約】【課題】二次電池の充電のために中断を招くことなく、長時間の連続使用が可能な情報伝送システムを提供する。【解決手段】複数の機器相互の間で伝送される機器信号を無線により相互に送受信する一対の送受信機１０を備える。一対の送受信機１０は互いに同一の構成を有しており、一対の送受信機１０のそれぞれが、機器側接続コネクタに着脱自在に接続され、機器との間で機器信号を伝送する送受信機側接続コネクタ１２と、送受信機側接続コネクタ１２に入力された機器信号を無線信号に変換して送信するとともに、受信した無線信号を機器信号に変換して送受信機側接続コネクタ１２に対して出力する送受信回路２４と、送受信回路２４に電力を供給する二次電池１４と、外部電源からの電力を二次電池１４と送受信回路２４とに供給する電源コネクタ１６と、を備える。【選択図】図５
2019041279.tif 000002
【特許請求の範囲】
【請求項１】
複数の機器相互の間で伝送される機器信号を無線により相互に送受信する一対の送受信機を備え、
前記一対の送受信機は互いに同一の構成を有しており、
前記一対の送受信機のそれぞれが、
前記機器の機器側接続コネクタに着脱自在に接続され、前記機器との間で前記機器信号を伝送する送受信機側接続コネクタと、
前記送受信機側接続コネクタに入力された前記機器信号を無線信号に変換して送信するとともに、受信した無線信号を前記機器信号に変換して前記送受信機側接続コネクタに対して出力する送受信回路と、
前記送受信回路に電力を供給する二次電池と、
外部電源からの電力を前記二次電池と前記送受信回路とに供給する送受信機側電源コネクタと、
を備える、情報伝送システム。
【請求項２】
前記送受信機側電源コネクタは、前記外部電源に接続された電源側電源コネクタが着脱自在に接続可能に構成される、
請求項１に記載の情報伝送システム。
【請求項３】
前記送受信機には、前記送受信機側接続コネクタと前記送受信機側電源コネクタとを兼用した送受信機側共通コネクタが設けられ、
前記送受信機を充電するための充電器をさらに備え、
前記充電器は、
前記送受信機側共通コネクタが着脱自在に接続される充電器側第１接続コネクタと、
前記送受信機側共通コネクタが前記充電器側第１接続コネクタに接続された場合に、前記充電器側第１接続コネクタ及び前記送受信機側共通コネクタを介して前記二次電池と前記送受信回路とに電力を供給する電源回路と、
前記機器側接続コネクタが着脱自在に接続される充電器側第２接続コネクタであって、前記送受信機側共通コネクタが前記充電器側第１接続コネクタに接続され、かつ前記機器側接続コネクタが前記充電器側第２接続コネクタに接続された場合に、前記送受信機側共通コネクタと前記機器側接続コネクタとの間で前記機器信号を中継する充電器側第２接続コネクタと、
を備える、請求項１に記載の情報伝送システム。
【請求項４】
前記充電器は、前記充電器側第１接続コネクタを少なくとも一対備えている、
請求項３に記載の情報伝送システム。
【請求項５】
前記複数の機器のいずれか一方の機器が電気楽器であり、他方の機器が音響機器である、
請求項１から４のいずれか１項に記載の情報伝送システム。
【発明の詳細な説明】
【技術分野】
【０００１】
本発明は、複数の機器相互の間で伝送される機器信号を無線により相互に送受信可能な情報伝送システムに関するものである。
【背景技術】
【０００２】
従来から、エレキギター、エレキベース、電気ピアノ等の電気楽器と、アンプ、ミキサー等の音響機器とを接続し、電気楽器から入力される音響信号を音響機器で処理する音響システムが知られている（例えば、特許文献１参照）。
【先行技術文献】
【特許文献】
【０００３】
【特許文献１】特開２０１４−００２１７９号公報
【発明の概要】
【発明が解決しようとする課題】
【０００４】
ところで、通常、音響機器はケーブルを介して電気楽器と接続されるようになっているため、ケーブルの接続が面倒であるとともに、電気楽器や音響機器の配置もケーブルにより制限されてしまうという問題がある。
【０００５】
これに対し、電気楽器と音響機器との間を接続するためのケーブルを無線化する場合、例えば、送信側の接続対象機器となる電気楽器に無線送信機、受信側の接続対象機器となる音響機器に無線受信機をそれぞれ設ける形態が考えられる。この形態によれば、従来の構成のように電気楽器と音響機器との間をケーブルで接続する必要がないため、ケーブルの接続の面倒さや、電気楽器や音響機器の配置の制約もなくなる。また、電気楽器及び音響機器に対してそれぞれ無線送信機や無線受信機を外付けした構成とすることで、電気楽器や音響機器に無線通信機能を内蔵した構成とする場合に比べて構成を簡略化できるとともに、電気楽器や音響機器の構成を簡素化でき、さらには従来のものを使用することができる。しかしながら、上記の形態とする場合、次のような別の課題がある。
【０００６】
すなわち、無線送信機や無線受信機を外付けした構成とする場合、それらを動作させるための別電源が必要となる。例えば、乾電池等の一次電池、ＮｉＭＨ（ニッケル・メタルハイドライド）電池やＬｉ−ｉｏｎ(リチウム・イオン)電池等の二次電池、もしくは太陽電池や圧電デバイス等を無線送信機や無線受信機に設けることが考えられる。また、商用電源等から電源を得る方法もあるが、電源供給のためのケーブルが別途必要となってしまう。そのため、電気楽器や音響機器の利用形態を考慮すると、ケーブルによる使用範囲の制限を取り払うために、無線送信機及び無線受信機の少なくとも一方はケーブルで電源供給の不要な一次電池もしくは二次電池を利用した電源供給が必要である。
【０００７】
ところが、電力源に電池を用いた場合、無線送信機や無線受信機等の無線伝送装置が電力を消費し、やがては電力不足となり動作停止してしまう。すなわち、無線伝送装置において連続動作が不可能となるという問題がある。また、一次電池の利用を前提とした装置であれば、一次電池の交換で動作の中断は短時間ですむが、交換用の一次電池の準備が必要となる。また、二次電池を利用した場合、二次電池の充電にはある程度の充電時間が必要となる。
【０００８】
このような問題は、電気楽器と音響機器との間の接続に限られたものではなく、例えば、携帯電話、スマートフォン、タブレット端末、携帯型音楽プレーヤー、携帯ゲーム機、携帯型ＴＶ／ビデオ機器、携帯型ビデオカメラ等の様々な携帯型音響機器、映像機器、情報通信機器等と外部機器との間の接続についても同様である。
【０００９】
本発明は、このような事情に鑑みてなされたもので、二次電池の充電のために中断を招くことなく、長時間の連続使用が可能な情報伝送システムを提供することを目的とする。
【課題を解決するための手段】
【００１０】
上記目的を達成するために、本発明に係る情報伝送システムの一態様は、複数の機器相互の間で伝送される機器信号を無線により相互に送受信する一対の送受信機を備え、一対の送受信機は互いに同一の構成を有しており、一対の送受信機のそれぞれが、機器の機器側接続コネクタに着脱自在に接続され、機器との間で機器信号を伝送する送受信機側接続コネクタと、送受信機側接続コネクタに入力された機器信号を無線信号に変換して送信するとともに、受信した無線信号を機器信号に変換して送受信機側接続コネクタに対して出力する送受信回路と、送受信回路に電力を供給する二次電池と、外部電源からの電力を二次電池と送受信回路とに供給する送受信機側電源コネクタと、を備える。
【００１１】
なお、本発明における「機器」としては、エレキギター、エレキベース、電気ピアノ等の電気楽器、アンプ、ミキサー等の音響機器に限らず、例えば、コンデンサマイクやダイナミックマイク等のハンドマイク、携帯電話、スマートフォン、タブレット端末、携帯型音楽プレーヤー、携帯ゲーム機、携帯型ＴＶ／ビデオ機器、携帯型ビデオカメラ等の様々な携帯型音響機器、映像機器、情報通信機器等と、これらの機器と接続される外部機器等が含まれる。
【００１２】
本発明に係る情報伝送システムの一態様において、送受信機側電源コネクタは、外部電源に接続された電源側電源コネクタが着脱自在に接続可能に構成されることが好ましい。
【００１３】
本発明に係る情報伝送システムの一態様において、送受信機には、送受信機側接続コネクタと送受信機側電源コネクタとを兼用した送受信機側共通コネクタが設けられ、送受信機を充電するための充電器をさらに備え、充電器は、送受信機側共通コネクタが着脱自在に接続される充電器側第１接続コネクタと、送受信機側共通コネクタが充電器側第１接続コネクタに接続された場合に、充電器側第１接続コネクタ及び送受信機側共通コネクタを介して二次電池と送受信回路とに電力を供給する電源回路と、機器側接続コネクタが着脱自在に接続される充電器側第２接続コネクタであって、送受信機側共通コネクタが充電器側第１接続コネクタに接続され、かつ機器側接続コネクタが充電器側第２接続コネクタに接続された場合に、送受信機側共通コネクタと機器側接続コネクタとの間で機器信号を中継する充電器側第２接続コネクタと、を備えることが好ましい。
【００１４】
本発明に係る情報伝送システムの一態様において、充電器は、充電器側第１接続コネクタを少なくとも一対備えていることが好ましい。
【００１５】
本発明に係る情報伝送システムの一態様において、複数の機器のいずれか一方の機器が電気楽器であり、他方の機器が音響機器であることが好ましい。
【００１６】
なお、本発明における「電気楽器」とは、楽器の作る振動を、電気信号として取り出し、何らかの処理をして音声を出力する仕組みを持った楽器（例えば、エレキギター、エレキベース、電気ピアノ等）のみならず、電子回路による演算によって波形信号を作り出す電子楽器（例えば、キーボード、ドラムマシン）も含む。
【発明の効果】
【００１７】
本発明によれば、二次電池の充電のために中断を招くことなく、長時間の連続使用が可能となる。
【図面の簡単な説明】
【００１８】
【図１】第１の実施形態に係る情報伝送システムが適用された音響システムの概略図
【図２】第１の実施形態に係る送受信機を充電するための構成を示した概略図
【図３】電気楽器の回路の一例を示した図
【図４】音響機器の回路の一例を示した図
【図５】第１の実施形態に係る送受信機の回路の一例を示した図
【図６】第１の実施形態に係る送受信機の信号入出力部の回路構成の一例を示した図
【図７】第２の実施形態に係る情報伝送システムが適用された音響システムの概略図
【図８】第２の実施形態に係る充電器の外観を示した図
【図９】第２の実施形態に係る送受信機の回路の一例を示した図
【図１０】第２の実施形態に係る充電器の回路の一例を示した図
【図１１】第２の実施形態の変形例に係る充電器の外観を示した図
【図１２】第２の実施形態の変形例に係る充電器の回路の一例を示した図
【発明を実施するための形態】
【００１９】
以下、添付図面に従って本発明の好ましい実施の形態について詳説する。なお、以下では、本発明をエレキギター等の電気楽器とアンプ等の音響機器との接続に適用した例について説明するが、本発明はこの実施形態に限定されるものではなく、例えば、コンデンサマイクやダイナミックマイク等のハンドマイク、携帯電話、スマートフォン、タブレット端末、携帯型音楽プレーヤー、携帯ゲーム機、携帯型ＴＶ／ビデオ機器、携帯型ビデオカメラ等の様々な携帯型音響機器、映像機器、情報通信機器等と外部機器との接続等にも適用可能である。
【００２０】
（第１の実施形態）
図１は、第１の実施形態に係る情報伝送システムが適用された音響システムの概略図である。図１に示すように、音響システム１は、電気楽器１００と、音響機器２００とを備えている。電気楽器１００及び音響機器２００は、それぞれ本発明の「機器」の一例である。
【００２１】
電気楽器１００と音響機器２００との間は、本発明の第１の実施形態に係る情報伝送システム２を用いて無線接続されている。情報伝送システム２は、複数の機器相互の間、すなわち電気楽器１００と音響機器２００との間で伝送される音響信号を無線により相互に送受信可能にするものであり、第１送受信機１０Ａと、第２送受信機１０Ｂとを備えている。第１送受信機１０Ａ及び第２送受信機１０Ｂは、本発明の「一対の送受信機」の一例である。また、音響信号は、本発明の「機器信号」の一例である。
【００２２】
第１送受信機１０Ａ及び第２送受信機１０Ｂは互いに同一の構成を有しており、音響信号を無線により送受信する機能を備えている。以下、第１送受信機１０Ａ及び第２送受信機１０Ｂを総称して、「送受信機１０」という。
【００２３】
送受信機１０は、電気楽器１００や音響機器２００等の機器（接続対象機器）のジャックに着脱自在に接続可能なプラグ１２を備えている。なお、プラグ１２は、本発明の「送受信機側接続コネクタ」の一例である。また、機器に設けられるジャックは、本発明の「機器側接続コネクタ」の一例である。
【００２４】
本実施形態においては、図１に示すように、電気楽器１００のジャック１０２に第１送受信機１０Ａのプラグ１２が接続されるとともに、音響機器２００のジャック２０２に第２送受信機１０Ｂのプラグ１２が接続される。これにより、電気楽器１００と音響機器２００との間は無線通信により音響信号を伝送可能な状態となる。
【００２５】
なお、本実施形態において、電気楽器１００とは、楽器の作る振動を、電気信号として取り出し、何らかの処理をして音声を出力する仕組みを持った楽器（例えば、エレキギター、エレキベース、電気ピアノ等）のみならず、電子回路による演算によって波形信号を作り出す電子楽器（例えば、キーボード、ドラムマシン）も含む。後述する他の実施形態においても同様である。
【００２６】
図２は、第１の実施形態に係る送受信機１０を充電するための構成を示した概略図である。図２に示すように、送受信機１０は、動作電源としての二次電池１４と、電源コネクタ１６とを備えている。電源コネクタ１６は、本発明の「送受信機側電源コネクタ」の一例である。
【００２７】
二次電池１４の充電を行う場合には、商用電源などの外部電源（不図示）に接続された充電用電源ケーブル１８の電源プラグ２０（電源側電源コネクタの一例）を送受信機１０の電源コネクタ１６に接続する。これより、外部電源から充電用電源ケーブル１８を介して二次電池１４に電力が供給され、二次電池１４への充電が行われる。
【００２８】
なお、二次電池１４の充電は、例えばパソコンなどに備えられたＵＳＢ（Univesal Serial Bus）端子からＵＳＢケーブルを介して充電する構成であってもよい。
【００２９】
また、送受信機１０のプラグ１２は、φ６．３標準プラグやφ３．５ミニプラグなどで構成される。これらは従来の電気楽器や音響機器などで標準的に使用されているものであり、従来の電気楽器や音響機器などへの接続が容易に行える。もちろん、これらのプラグに限らず、他の形状のプラグへの応用も可能である。
【００３０】
図３は、電気楽器１００の回路の一例を示した図である。図３に示すように、電気楽器１００は、演奏者による操作子（弦・鍵など）の操作に応じて音響信号（電気信号）を生成する音響信号発生回路１０４を備えている。なお、音響信号発生回路１０４は、電気楽器１００の動作や信号処理に応じて適宜設計されるが、ここでは詳細な説明を省略する。
【００３１】
電気楽器１００のジャック１０２に送受信機１０のプラグ１２が接続された場合、送受信機１０のプラグ１２のチップ電極３４（図５参照）はジャック１０２の接点１０６を介して音響信号発生回路１０４に接続される。これにより、音響信号発生回路１０４から出力された音響信号が送受信機１０のプラグ１２のチップ電極３４に対して供給される。
【００３２】
図４は、音響機器２００の回路の一例を示した図である。図４に示すように、音響機器２００は、ジャック２０２を介して入力された音響信号に対して所定の信号処理（増幅や効果付与等）を行う音響信号処理回路２０４を備えている。なお、音響信号処理回路２０４は、音響機器２００の動作や信号処理に応じて適宜設計されるが、ここでは詳細な説明を省略する。
【００３３】
音響機器２００のジャック２０２に送受信機１０のプラグ１２が接続された場合、送受信機１０のプラグ１２のチップ電極３４はジャック２０２の接点２０６を介して音響信号処理回路２０４に接続される。これにより、送受信機１０のプラグ１２のチップ電極３４から出力された音響信号が音響信号処理回路２０４に対して供給される。
【００３４】
図５は、第１の実施形態に係る送受信機１０の回路の一例を示した図である。図５に示すように、送受信機１０は、信号入出力部２２と、送受信回路２４と、送受信切替回路２６と、充電制御回路２８と、二次電池１４と、アンテナ３０と、ダイオード３２とを備えている。
【００３５】
信号入出力部２２は、送受信機１０が接続された機器（電気楽器１００又は音響機器２００）との間で音響信号（ＡＦ信号）の入出力を行う。具体的には、信号入出力部２２は、機器からプラグ１２のチップ電極３４（信号入出力端子となる電極）に入力された音響信号を送受信回路２４に与えるともに、送受信回路２４から与えられた音響信号をプラグ１２のチップ電極３４から機器に対して出力する。なお、プラグ１２のスリーブ電極３６は、グラウンドライン３８を介して二次電池１４の負極に接続される。
【００３６】
送受信回路２４は、アンテナ３０を介して他の送受信機１０との間で無線信号（ＲＦ信号）を送受信する送信機能及び受信機能を備えている。送受信回路２４は、送信機能がオンの場合には、プラグ１２のチップ電極３４を介して入力された音響信号を無線信号に変換して、アンテナ３０を介して送信する。また、受信機能がオンの場合には、アンテナ３０を介して受信した無線信号を音響信号に変換して、プラグ１２のチップ電極３４に対して出力する。
【００３７】
送受信切替回路２６は、入力された充電信号Ｓ１に基づいて、送受信回路２４の送信機能及び受信機能を選択的に切り替える。充電信号Ｓ１は、二次電池１４の充電動作の有無を示すものであり、充電制御回路２８で生成されて出力される。なお、送受信切替回路２６に入力される充電信号としては、二次電池１４の充電動作中であるか否かを判別できるものであればよく、充電制御回路２８から出力されるものに限らない。例えば、送受信機１０の外部あるいは内部から直接的又は間接的に送受信切替回路２６に入力されるものであってもよい。
【００３８】
また、送受信切替回路２６は、信号入出力部２２に対して送受信切替信号Ｓ２を出力する。送受信切替信号Ｓ２は、送受信回路２４の送信機能及び受信機能のうち選択中の機能を示すものである。例えば、送受信切替信号がＨｉｇｈ（ハイ）レベルである場合には送受信回路２４が送信側（すなわち、送信機能がオン、受信機能がオフ）であることを示し、送受信切替信号がＬｏｗ（ロー）レベルである場合には送受信回路２４が受信側（すなわち、送信機能がオフ、受信機能がオン）であることを示す。
【００３９】
電源コネクタ１６に接続される電源ライン４０は、第１電源分岐ライン４０ａと第２電源分岐ライン４０ｂとに分岐されている。第１電源分岐ライン４０ａは充電制御回路２８を介して二次電池１４の正極に接続され、第２電源分岐ライン４０ｂは送受信回路２４の電源端子に接続される。また、二次電池１４の正極と第２電源分岐ライン４０ｂ（すなわち、送受信回路２４の電源端子）との間はダイオード３２を介して接続される。
【００４０】
ダイオード３２は充電動作によって切り替わるスイッチとして機能する。すなわち、電源コネクタ１６からの電力供給があるときにオフ、電源コネクタ１６からの電力供給がなく、二次電池１４の電力で送受信機１０を動作させるときにオンとなるように働くものである。
【００４１】
したがって、電源コネクタ１６に充電用電源ケーブル１８の電源プラグ２０（図２参照）が接続された場合には、外部電源から供給される電流が、二次電池１４への充電電流として、充電制御回路２８を介挿した第１電源分岐ライン４０ａを経由して二次電池１４に供給されるとともに、送受信回路２４への動作電流として、第２電源分岐ライン４０ｂを経由して送受信回路２４に供給される。このとき、ダイオード３２は、第２電源分岐ライン４０ｂから二次電池１４の正極に向かう電流の流れを阻止する。
【００４２】
一方、電源コネクタ１６に充電用電源ケーブル１８の電源プラグ２０（図２参照）が接続されない場合には、二次電池１４から供給される電流が、送受信回路２４への動作電流として、ダイオード３２を介して送受信回路２４に供給される。
【００４３】
なお、外部電源及び二次電池１４から供給される電流が、送受信切替回路２６等の各部にも動作電流として供給されるように構成されているが、ここでは図面の複雑化を避けるため、その構成に関する図示を省略している。
【００４４】
充電制御回路２８は、第１電源分岐ライン４０ａに介挿される。すなわち、充電制御回路２８は、電源コネクタ１６と二次電池１４との間に介在されており、外部電源から第１電源分岐ライン４０ａを介して供給される電流を二次電池１４の充電に必要な電流に変換して、二次電池１４へ供給する。
【００４５】
充電制御回路２８は、二次電池１４へ供給される電流を検出する電流検出器（不図示）を含んで構成される。充電制御回路２８は、電流検出器の検出結果に基づき、二次電池１４の充電動作の有無を示す充電信号Ｓ１を生成して、送受信切替回路２６に対して出力する。例えば、充電信号がＨｉｇｈ（ハイ）レベルである場合には二次電池１４の充電動作が行われていること（すなわち、二次電池１４の充電動作中であること）を示し、Ｌｏｗ（ロー）レベルである場合には二次電池１４の充電動作は行われていないことを示す。
【００４６】
また、充電制御回路２８は、二次電池１４が一定電圧以上になると、二次電池１４に供給される電流を遮断し、二次電池１４の過充電を防止する機能を備えている。
【００４７】
次に、信号入出力部２２の回路構成の詳細について説明する。図６は、第１の実施形態に係る送受信機１０の信号入出力部２２の回路構成の一例を示した図である。
【００４８】
図６に示すように、信号入出力部２２は、チップ電極３４及びスリーブ電極３６を有するプラグ１２と、第１スイッチ４２と、第２スイッチ４４と、Ａ／Ｄ変換器（アナログ／デジタル変換器）４６と、Ｄ／Ａ変換器（デジタル／アナログ変換器）４８と、入出力制御回路５０とを備えている。なお、本実施形態では、Ａ／Ｄ変換器４６及びＤ／Ａ変換器４８を備えるようにしたが、Ａ／Ｄ変換器４６の代わりに変調器を備えるとともに、Ｄ／Ａ変換器４８の代わりに復調器を備えるようにしてもよい。
【００４９】
プラグ１２のチップ電極３４に接続される信号ライン５２は、第１信号分岐ライン５２ａと第２信号分岐ライン５２ｂとに分岐されている。第１信号分岐ライン５２ａは、第１スイッチ４２及びＡ／Ｄ変換器４６を介して送受信回路２４の入力端に接続される。第２信号分岐ライン５２ｂは、第２スイッチ４４及びＤ／Ａ変換器４８を介して送受信回路２４の出力端に接続される。なお、プラグ１２のスリーブ電極３６は、直接的又は間接的にグラウンドに接地される。
【００５０】
第１スイッチ４２及び第２スイッチ４４は、例えばトランジスタ等の半導体スイッチからなり、入出力制御回路５０の制御に従って、オン状態（短絡状態）とオフ状態（開放状態）との間で選択的に切替可能に構成される。
【００５１】
入出力制御回路５０には、送受信切替回路２６から出力された送受信切替信号Ｓ２が入力される。入出力制御回路５０は、入力された送受信切替信号Ｓ２に基づいて、第１スイッチ４２及び第２スイッチ４４のオン・オフを排他的に制御する。
【００５２】
具体的には、入出力制御回路５０に入力された送受信切替信号Ｓ２が送信側（すなわち、送受信回路２４の送信機能がオン、受信機能がオフ）であることを示す場合には、入出力制御回路５０は、第１スイッチ４２をオンとし、第２スイッチ４４をオフとする制御を行う。これにより、チップ電極３４と送受信回路２４の入力端との間が第１スイッチ４２を介して導通された状態となる。このとき、チップ電極３４と送受信回路２４の出力端との間は第２スイッチ４４により遮断された状態となる。したがって、送受信機１０が接続された機器からチップ電極３４に入力された音響信号は、第１信号分岐ライン５２ａに配設されたＡ／Ｄ変換器４６でアナログ信号からデジタル信号に変換され、送受信回路２４の入力端に与えられる。
【００５３】
一方、入出力制御回路５０に入力された送受信切替信号Ｓ２が受信側（すなわち、送受信回路２４の送信機能がオフ、受信機能がオン）であることを示す場合には、入出力制御回路５０は、第１スイッチ４２をオンとし、第２スイッチ４４をオフとする制御を行う。これにより、チップ電極３４と送受信回路２４の出力端との間が第２スイッチ４４を介して導通された状態となる。このとき、チップ電極３４と送受信回路２４の入力端との間は第１スイッチ４２により遮断された状態となる。したがって、送受信回路２４の出力端から出力された音響信号は、第２信号分岐ライン５２ｂに配設されたＤ／Ａ変換器４８でデジタル信号からアナログ信号に変換され、チップ電極３４から接続対象機器に対して出力される。
【００５４】
なお、本実施形態では、入出力制御回路５０によって第１スイッチ４２及び第２スイッチ４４を制御する態様を示したが、信号入出力端子を構成するチップ電極３４と送受信回路２４との間で信号の送受信を選択的に行うことができるものであれば、特に限定されるものではない。例えば、送受信機１０は、ユーザが手動で切替可能なスイッチを備えていてもよい。この場合、スイッチは、機械的又は電気的なスイッチにより構成されていてもよい。
【００５５】
また、本実施形態では、第１信号分岐ライン５２ａ及び第２信号分岐ライン５２ｂにそれぞれ第１スイッチ４２及び第２スイッチ４４を設けた構成を示したが、例えば、第１スイッチ４２及び第２スイッチ４４を設けずに、入出力制御回路５０が、入力された送受信切替信号Ｓ２に基づいて、Ａ／Ｄ変換器４６、Ｄ／Ａ変換器４８の動作を排他的に制御するようにしてもよい。例えば、入出力制御回路５０に入力された送受信切替信号Ｓ２が送信側（すなわち、送受信回路２４の送信機能がオン、受信機能がオフ）であることを示す場合には、Ａ／Ｄ変換器４６の動作を有効とし、Ｄ／Ａ変換器４８の動作を無効とする。一方、入出力制御回路５０に入力された送受信切替信号Ｓ２が受信側（すなわち、送受信回路２４の送信機能がオフ、受信機能がオン）であることを示す場合には、Ａ／Ｄ変換器４６の動作を無効とし、Ｄ／Ａ変換器４８の動作を有効とする。これにより、本実施形態の構成と同等の機能を実現することが可能となる。
【００５６】
以上の構成によれば、図１に示したように、第１送受信機１０Ａのプラグ１２を電気楽器１００のジャック１０２に接続するとともに、第２送受信機１０Ｂのプラグ１２を音響機器２００のジャック２０２に接続することで、電気楽器１００と音響機器２００との間は無線通信により音響信号を伝送可能な状態となる。このような状態において、電気楽器１００の演奏が行われた場合には、電気楽器１００の音響信号発生回路１０４から出力された音響信号は第１送受信機１０Ａのプラグ１２を介して送受信回路２４に入力され、送受信回路２４で無線信号に変換され、アンテナ３０から送信される。アンテナ３０から送信された無線信号は、第２送受信機１０Ｂのアンテナ３０で受信され、送受信回路２４で元の音響信号に戻され、送受信回路２４から出力された音響信号はプラグ１２に供給される。そして、プラグ１２から出力された音響信号は、音響機器２００のジャック２０２を介して音響信号処理回路２０４に入力され、音響信号処理回路２０４で所定の信号処理が行われる。
【００５７】
ここで、第１送受信機１０Ａ及び第２送受信機１０Ｂは、それぞれに内蔵される二次電池１４を動作電源として動作することも可能であるが、本実施形態においては、第１送受信機１０Ａ及び第２送受信機１０Ｂのうち、固定側機器となる音響機器２００に接続された送受信機１０Ｂに充電用電源ケーブル１８を接続した状態で使用する態様が好ましく採用される。
【００５８】
すなわち、この態様によれば、移動側機器となる電気楽器１００に接続された第１送受信機１０Ａには充電用電源ケーブル１８を接続しない状態で使用される。そのため、第１送受信機１０Ａでは、その内部に内蔵される二次電池１４が動作電源となり、二次電池１４から第１送受信機１０Ａの各部（送受信回路２４等）への電力供給が行われる。一方、固定側機器となる音響機器２００に接続された第２送受信機１０Ｂには充電用電源ケーブル１８を接続した状態で使用される。そのため、第２送受信機１０Ｂでは、商用電源などの外部電源から第２送受信機１０Ｂの各部（送受信回路２４等）への電力供給とともに、二次電池１４への充電が並行して行われる。
【００５９】
このように本実施形態では、移動側機器となる電気楽器１００に接続した第１送受信機１０Ａでは、その内部に内蔵される二次電池１４を動作電源として第１送受信機１０Ａの各部を動作させるとともに、固定側機器となる音響機器２００に接続した第２送受信機１０Ｂでは、商用電源などの外部電源から供給される電力により、二次電池１４への充電を行いつつ、第２送受信機１０Ｂの各部を動作させることが可能となる。
【００６０】
そして、本実施形態ではさらに、第１送受信機１０Ａ及び第２送受信機１０Ｂは互いに同一の構成を有しているので、第１送受信機１０Ａ及び第２送受信機１０Ｂを相互に差し替えて使用することが可能である。そのため、音響システム１の使用時（電気楽器１００の演奏時等）において、二次電池１４の容量に応じて予め定められる使用可能時間が経過する前に、電気楽器１００に接続され二次電池１４に充電された電力（充電電圧）が低下した第１送受信機１０Ａと、音響機器２００に接続され二次電池１４の充電が行われた第２送受信機１０Ｂとを相互に差し替えることで、第１送受信機１０Ａ及び第２送受信機１０Ｂに内蔵される二次電池１４が充電不足になることがない。したがって、二次電池１４の充電のために中断を招くことなく、長時間の連続使用が可能となる。
【００６１】
また、本実施形態では、充電用電源ケーブル１８は、移動側機器となる電気楽器１００に接続される第１送受信機１０Ａではなく、固定側機器となる音響機器２００に接続される第２送受信機１０Ｂに接続された状態で使用される。そのため、音響システム１の使用時において、充電用電源ケーブル１８が邪魔になることがない。
【００６２】
（第２の実施形態）
次に、本発明の第２の実施形態について説明する。以下、第１の実施形態と共通する部分については説明を省略し、本実施形態の特徴的部分を中心に説明する。
【００６３】
図７は、第２の実施形態に係る情報伝送システムが適用された音響システムの概略図である。なお、図７中、図１と共通又は類似する構成要素には同一の番号を付している。
【００６４】
図７に示すように、音響システム１Ａは、電気楽器１００と、音響機器２００とを備えており、電気楽器１００と音響機器２００との間は、本発明の第２の実施形態に係る情報伝送システム２Ａを用いて無線接続されている。
【００６５】
情報伝送システム２Ａは、第１送受信機１０Ａ及び第２送受信機１０Ｂに加え、さらに、第１送受信機１０Ａ及び第２送受信機１０Ｂを充電するための充電器６２を備えている。
【００６６】
図８は、第２の実施形態に係る充電器６２の外観を示した図である。図８に示すように、充電器６２は、送受信機１０のプラグ１３を着脱自在に接続可能なジャック６４と、電気楽器１００や音響機器２００等の機器（接続対象機器）のジャックに着脱自在に接続可能なプラグ６６とを備えている。なお、ジャック６４は、本発明の「充電器側第１接続コネクタ」の一例である。プラグ６６は、本発明の「充電器側第２接続コネクタ」の一例である。
【００６７】
本実施形態においては、図７に示すように、電気楽器１００のジャック１０２に第１送受信機１０Ａのプラグ１３が接続されるとともに、音響機器２００のジャック２０２に充電器６２のプラグ６６が接続され、さらに充電器６２のジャック６４（図８参照）に第２送受信機１０Ｂのプラグ１３が接続される。すなわち、音響機器２００と第２送受信機１０Ｂとはその間に充電器６２を介在させた状態で接続される。
【００６８】
図９は、第２の実施形態に係る送受信機１０の回路の一例を示した図である。なお、図９中、図５と共通又は類似する構成要素には同一の番号を付している。
【００６９】
図９に示すように、本実施形態の送受信機１０は、プラグ１３の構成が第１の実施形態のプラグ１２とは異なっている。すなわち、本実施形態におけるプラグ１３は、チップ電極３４及びスリーブ電極３６に加え、さらにリング電極６８を備えている。なお、プラグ１３は、本発明の「送受信機側共通コネクタ」の一例であり、本発明における「送受信機側電源コネクタ」と「送受信機側電源コネクタ」とを兼用したものである。
【００７０】
リング電極６８は、充電器６２からの電流を二次電池１４の充電電流及び送受信機１０の各部の動作電流として供給するための電源端子を構成する。リング電極６８に接続された電源ライン４１は、第１の実施形態と同様な接続構成となっている。すなわち、電源ライン４１は、第１電源分岐ライン４１ａと第２電源分岐ライン４１ｂとに分岐されている。第１電源分岐ライン４１ａは充電制御回路２８を介して二次電池１４の正極に接続され、第２電源分岐ライン４１ｂは送受信回路２４の電源端子に接続される。また、二次電池１４の正極と第２電源分岐ライン４１ｂ（すなわち、送受信回路２４の電源端子）との間はダイオード３２を介して接続される。
【００７１】
図１０は、第２の実施形態に係る充電器６２の回路の一例を示した図である。図１０に示すように、充電器６２は、送受信機１０に電流を供給する電源回路７０を備えている。電源回路７０は、商用電源などの外部電源に電源ケーブル（不図示）を介して接続される。
【００７２】
充電器６２のジャック６４に送受信機１０のプラグ１３が接続された場合、プラグ１３のリング電極６８は、ジャック６４の接点６４ｂを介して電源回路７０に接続される。これにより、電源回路７０から供給される電流がジャック６４及びプラグ１３を介して送受信機１０に供給されるので、二次電池１４の充電を行いつつ、送受信機１０の各部を動作させることが可能となる。
【００７３】
また、充電器６２のジャック６４に送受信機１０のプラグ１３が接続された場合、プラグ１３のチップ電極３４は、ジャック６４の接点６４ａを介してプラグ６６のチップ電極７２に接続される。これにより、送受信機１０のプラグ１３のチップ電極３４と充電器６２のプラグ６６のチップ電極７２との間で信号を相互に伝送可能となる。
【００７４】
したがって、充電器６２のジャック６４に送受信機１０のプラグ１３を接続し、さらに充電器６２のプラグ６６を音響機器２００のジャック２０２に接続した場合には、送受信機１０のプラグ１３から出力された音響信号を充電器６２を経由して音響機器２００の音響信号処理回路２０４に供給することが可能となる。
【００７５】
また、充電器６２のジャック６４に送受信機１０のプラグ１３を接続し、さらに充電器６２のプラグ６６を電気楽器１００のジャック１０２に接続した場合には、電気楽器１００の音響信号発生回路１０４から出力された音響信号を充電器６２を経由して送受信機１０の送受信回路２４に供給することが可能となる。
【００７６】
このように第２の実施形態によれば、充電器６２のジャック６４に送受信機１０のプラグ１３を接続した場合には、充電器６２は、送受信機１０の二次電池１４を充電するための充電電流供給手段（電力供給手段）として機能するとともに、充電器６２が介在した送受信機１０と機器（電気楽器１００又は音響機器２００）との間で伝送する信号を中継する信号中継手段として機能する。これにより、図７に示すように、音響システム１の使用時においては、音響機器２００と第２送受信機１０Ｂとの間に充電器６２を配置することが可能となる。なお、図７に示した構成に代えて、電気楽器１００と第１送受信機１０Ａとの間に充電器６２を配置することも可能である。したがって、第１送受信機１０Ａ又は第２送受信機１０Ｂと機器（電気楽器１００又は音響機器２００）との間に充電器６２を介在させた状態で使用することができるので、これらを一体で管理でき、充電器６２の紛失を確実に防止することができる。
【００７７】
また、第２の実施形態では、図７に示すように、音響システム１Ａの使用時においては、第１送受信機１０Ａを電気楽器１００に接続し、第１送受信機１０Ａに内蔵される二次電池１４を動作電源として動作させるとともに、第２送受信機１０Ｂを充電器６２を介して音響機器２００に接続し、充電器６２から供給される電力を用いて二次電池１４の充電を行いつつ、第２送受信機１０Ｂから出力される音響信号を音響機器２００へと伝送することができる。
【００７８】
また、第２の実施形態では、第１の実施形態と同様に、音響システム１の使用時において、二次電池１４の容量に応じて予め定められる使用可能時間が経過する前に、電気楽器１００に接続され二次電池１４の電力が低下した第１送受信機１０Ａと、音響機器２００に充電器６２を介して接続され二次電池１４の充電が行われた第２送受信機１０Ｂとを相互に差し替えることで、第１送受信機１０Ａ及び第２送受信機１０Ｂに内蔵される二次電池１４が充電不足になることがない。したがって、二次電池１４の充電のために中断を招くことなく、長時間の連続使用が可能となる。
【００７９】
また、第２の実施形態においては、送受信機１０に内蔵される二次電池１４での使用時間よりも充電器６２での充電時間が短くなるように、二次電池１４の容量や充電器６２から供給される充電電流を設定する態様が好ましい。この態様によれば、送受信機１０の差し替えを繰り返すことで無制限に連続使用が可能となる。
【００８０】
また、第２の実施形態では、充電器６２が１つのジャック６４を備えた構成を示したが、これに限られない。例えば、図１１及び図１２に示す変形例のように、２つのジャック６４Ａ、６４Ｂが電源回路７０及びプラグ６６に対して並列に接続された構成であってもよい。なお、図１１は、第２の実施形態の変形例に係る充電器６２Ａの外観を示した図である。図１２は、第２の実施形態の変形例に係る充電器６２Ａの回路の一例を示した図である。
【００８１】
かかる構成において、２つのジャック６４Ａ、６４Ｂの一方のジャックに第１送受信機１０Ａのプラグ１３が接続され、他方のジャックに第２送受信機１０Ｂのプラグ１３が接続された場合には、各プラグ１３のリング電極６８は、各ジャック６４Ａ、６４Ｂにそれぞれ設けられる接点６４ｂ、６４ｂを介して電源回路７０に接続される。また、各プラグ１３のチップ電極３４と充電器６２のプラグ６６のチップ電極７２との間で信号を相互に伝送可能となる。
【００８２】
このように第２の実施形態の変形例によれば、音響システム１Ａの不使用時に、１対の送受信機１０Ａ、１０Ｂの各プラグ１３を充電器６２の各ジャック６４Ａ、６４Ｂに接続することにより、各送受信機１０Ａ、１０Ｂにそれぞれ内蔵される二次電池１４、１４を同時に充電することが可能となる。
【００８３】
また、第２の実施形態（変形例を含む）においても、第１の実施形態と同様に、送受信機１０は、プラグ１３とは別に、二次電池１４を充電するための電源コネクタを備えていてもよい。送受信機１０に電源コネクタを具備することによって、この電源コネクタに大容量の二次電池１４等の電力を供給しながら送信する等、送受信機１０の差し替え動作なしでの長時間使用を行うこともできる。
【００８４】
なお、上述した各実施形態では、送受信機１０や充電器６２等に設けられる接続コネクタの一例として、プラグやジャックを示したが、機器の接続コネクタに接続可能であれば、接続コネクタの種類は特に限定されるものではない。
【００８５】
以上、本発明の実施形態について説明したが、本発明は、以上の例には限定されず、本発明の要旨を逸脱しない範囲において、各種の改良や変形を行ってもよいのはもちろんである。
【符号の説明】
【００８６】
１…音響システム、１Ａ…音響システム、２…情報伝送システム、２Ａ…情報伝送システム、１０…送受信機、１０Ａ…第１送受信機、１０Ｂ…第２送受信機、１２…プラグ、１３…プラグ、１４…二次電池、１６…電源コネクタ、１８…充電用電源ケーブル、２０…電源プラグ、２２…信号入出力部、２４…送受信回路、２６…送受信切替回路、２８…充電制御回路、３０…アンテナ、３２…ダイオード、３４…チップ電極、３６…スリーブ電極、３８…グラウンドライン、４０…電源ライン、４０ａ…第１電源分岐ライン、４０ｂ…第２電源分岐ライン、４１…電源ライン、４１ａ…第１電源分岐ライン、４１ｂ…第２電源分岐ライン、４２…第１スイッチ、４４…第２スイッチ、４６…Ａ／Ｄ変換器、４８…Ｄ／Ａ変換器、５０…入出力制御回路、５２…信号ライン、５２ａ…第１信号分岐ライン、５２ｂ…第２信号分岐ライン、６２…充電器、６２Ａ…充電器、６４…ジャック、６６…プラグ、６８…リング電極、７０…電源回路、７２…チップ電極、７４…スリーブ電極
【図１】
2019041279.tif 000003
【図２】
2019041279.tif 000004
【図３】
2019041279.tif 000005
【図４】
2019041279.tif 000006
【図５】
2019041279.tif 000007
【図６】
2019041279.tif 000008
【図７】
2019041279.tif 000009
【図８】
2019041279.tif 000010
【図９】
2019041279.tif 000011
【図１０】
2019041279.tif 000012
【図１１】
2019041279.tif 000013
【図１２】
2019041279.tif 000014